(57)【要約】【課題】ユーザ自身が配線器具や電子機器を自由な位置に取り付けて使用できる配線システムを提供する。【解決手段】配線システムは、造営面（天井材１０１、床材１０２、壁材１０３）に設けた定形化された複数の差込接続部１と、造営面の表側から複数の差込接続部１のうちの何れにも選択的に差込接続可能な配線器具モジュール１０ａ，１０ｂ，１０ｄまたは電子機器モジュール２０ｂ，２０ｃ，２０ｅなどで構成される。各差込接続部１は、造営面に開口した接続用孔２ａと、造営材の裏側に配線された電線に電気的に接続されるとともに接続用孔２ａ内に配設されたジャック側端子とを備える。一方、配線器具モジュール１０ａ，１０ｂ，１０ｄや電子機器モジュール２０ｂ，２０ｃ，２０ｅは、接続用孔２ａに挿抜自在に挿入される定形化された突起部１３，２３と、突起部１３，２３に設けられてジャック側端子に電気的に接続されるプラグ側端子とを備える。【選択図】図１
2008251505.tif 000002
【特許請求の範囲】
【請求項１】
造営面に設けた定形化された複数の差込接続部と、造営面の表側から複数の差込接続部のうちの何れにも選択的に差込接続可能な配線器具モジュールまたは電子機器モジュールとで構成される配線システムであって、
各差込接続部は、造営面に開口した接続用孔と、造営材の裏側に配線された電線に電気的に接続されるとともに接続用孔内に配設されたジャック側端子とを備え、
配線器具モジュールまたは電子機器モジュールは、差込接続部の接続用孔に挿抜自在に挿入される定形化された差込部と、差込部に設けられ差込部が接続用孔に挿入された際にジャック側端子に電気的に接続されるプラグ側端子とを備えることを特徴とする配線システム。
【請求項２】
配線器具モジュールは、用途毎に定形化された差込プラグが挿抜自在に接続されるプラグ接続部と、プラグ側端子に電気的に接続されるとともにプラグ接続部に接続された差込プラグの電極に電気的に接続される接触子とを備えることを特徴とする請求項１記載の配線システム。
【請求項３】
電子機器モジュールは、プラグ側端子を介して電力の受電又は情報信号の授受の少なくとも何れか一方を行い所望の機能を実現する機能部を備えることを特徴とする請求項１又は２記載の配線システム。
【請求項４】
差込部が、配線器具モジュールまたは電子機器モジュールの器体における造営面との対向面に突設された棒状の突起部からなることを特徴とする請求項１乃至３の何れか１項に記載の配線システム。
【請求項５】
造営面において複数の差込接続部が網目状に配列されたことを特徴とする請求項１乃至４の何れか１項に記載の配線システム。
【請求項６】
配線器具モジュールおよび電子機器モジュールの種類毎にプラグ側端子の端子形状および端子配列が定形化されるとともに、複数の差込接続部では、対応する配線器具モジュールまたは電子機器モジュールの種類に合わせて、ジャック側端子の端子形状および端子配列を定形化したことを特徴とする請求項１乃至５の何れか１項に記載の配線システム。
【請求項７】
プラグ側端子が差込部の先端面に設けられたことを特徴とする請求項１乃至６の何れか１項に記載の配線システム。
【請求項８】
複数種類の配線器具モジュールおよび電子機器モジュールで、プラグ側端子は、差込部の差込方向において同じ深さ位置に設けられたことを特徴とする請求項１乃至７の何れか１項に記載の配線システム。
【発明の詳細な説明】
【技術分野】
【０００１】
本発明は、配線システムに関するものである。
【背景技術】
【０００２】
従来、例えば壁面に固定された取付枠を用いて、大角形連用配線器具を壁面に配設する配線システムが提案されている（例えば、特許文献１参照）。
【０００３】
また、天井取付型の照明器具では天井の所定位置に設置されたシーリングローゼットに照明器具を取り付けていた。
【特許文献１】特許２００６−６６９２７号公報
【発明の開示】
【発明が解決しようとする課題】
【０００４】
上述の配線システムでは、配線器具を取付枠に取り付ける際には、先ず取付枠の前面側に取り付けてある化粧枠および化粧プレートを外して、取付枠を造営面から取り外した後、取付枠に配線器具を保持させるとともに、配線器具に電線を接続し、その後取付枠を造営面に取り付けるとともに、取付枠に化粧枠および化粧プレートを取り付けているので、配線器具の取付位置が予め決められており、ユーザが配線器具を自由な位置に取り付けて使用することができなかった。
【０００５】
また、天井取付型の照明器具や火災感知器や各種センサなどの電子機器も取付位置が固定のため、ユーザ自身が自由な位置に電子機器を取り付けて使用することができなかった。
【０００６】
本発明は上記問題点に鑑みて為されたものであり、その目的とするところは、ユーザ自身が配線器具や電子機器を自由な位置に取り付けて使用できる配線システムを提供することにある。
【課題を解決するための手段】
【０００７】
上記目的を達成するために、造営面に設けた定形化された複数の差込接続部と、造営面の表側から複数の差込接続部のうちの何れにも選択的に差込接続可能な配線器具モジュールまたは電子機器モジュールとで構成される配線システムであって、各差込接続部は、造営面に開口した接続用孔と、造営材の裏側に配線された電線に電気的に接続されるとともに接続用孔内に配設されたジャック側端子とを備え、配線器具モジュールまたは電子機器モジュールは、差込接続部の接続用孔に挿抜自在に挿入される定形化された差込部と、差込部に設けられ差込部が接続用孔に挿入された際にジャック側端子に電気的に接続されるプラグ側端子とを備えることを特徴とする。
【０００８】
請求項２の発明は、請求項１の発明において、配線器具モジュールは、用途毎に定形化された差込プラグが挿抜自在に接続されるプラグ接続部と、プラグ側端子に電気的に接続されるとともにプラグ接続部に接続された差込プラグの電極に電気的に接続される接触子とを備えることを特徴とする。
【０００９】
請求項３の発明は、請求項１又は２の発明において、電子機器モジュールは、プラグ側端子を介して電力の受電又は情報信号の授受の少なくとも何れか一方を行い所望の機能を実現する機能部を備えることを特徴とする。
【００１０】
請求項４の発明は、請求項１乃至３の発明において、差込部が、配線器具モジュールまたは電子機器モジュールの器体における造営面との対向面に突設された棒状の突起部からなることを特徴とする。
【００１１】
請求項５の発明は、請求項１乃至４の発明において、造営面において複数の差込接続部が網目状に配列されたことを特徴とする。
【００１２】
請求項６の発明は、請求項１乃至５の何れかの発明において、配線器具モジュールおよび電子機器モジュールの種類毎にプラグ側端子の端子形状および端子配列が定形化されるとともに、複数の差込接続部では、対応する配線器具モジュールまたは電子機器モジュールの種類に合わせて、ジャック側端子の端子形状および端子配列を定形化したことを特徴とする。
【００１３】
請求項７の発明は、請求項１乃至６の何れかの発明において、プラグ側端子が差込部の先端面に設けられたことを特徴とする。
【００１４】
請求項８の発明は、請求項１乃至７の何れかの発明において、複数種類の配線器具モジュールおよび電子機器モジュールで、プラグ側端子は、差込部の差込方向において同じ深さ位置に設けられたことを特徴とする。
【発明の効果】
【００１５】
請求項１の発明によれば、配線器具モジュール或いは電子機器モジュールの差込部を何れかの差込接続部の接続用孔に挿入すると、差込部に設けたプラグ側端子がジャック側端子に電気的に接続されるので、配線器具モジュール或いは電子機器モジュールと差込接続部の間を電気的に接続することができる。したがって、所望の場所に設置された差込接続部に配線器具モジュール或いは電子機器モジュールを差込接続して使用することができ、ユーザ自身が配線器具モジュール又は電子機器モジュールを自由な位置に取り付けて使用することができるという効果がある。
【００１６】
請求項２の発明によれば、用途毎に定形化されたプラグ接続部に対応する差込プラグを接続することができるという効果がある。
【００１７】
請求項３の発明によれば、所望の機能部を有する電子機器モジュールを所望の場所に設置することができるという効果がある。
【００１８】
請求項４の発明によれば、配線器具モジュールおよび電子機器モジュールの器体に比べて突起部を小さくすることで、突起部が挿入される接続用孔の大きさを小さくできるので、接続用孔を部屋内で目立たないように設けることができるという効果がある。
【００１９】
請求項５の発明によれば、複数の接続用孔を網目状に配列しているので、必要な場所にできるだけ近い接続用孔に配線器具モジュール或いは電子機器モジュールを接続することができ、配線器具モジュールのプラグ接続口にプラグが接続されるケーブルの配線長を短くできるという効果がある。
【００２０】
請求項６の発明によれば、対応する差込接続部に接続することによって、複数種類の配線器具モジュールおよび電子機器モジュールを使用することができるという効果がある。
【００２１】
請求項７の発明によれば、種類の違いにかかわらず差込部の先端面にプラグ側端子を配置することができる。
【００２２】
請求項８の発明によれば、種類の違いにかかわらずジャック側端子を同じ高さ位置に設けることができる。
【発明を実施するための最良の形態】
【００２３】
以下に本発明の実施の形態を図面に基づいて説明する。
【００２４】
（実施形態１）
本発明に係る配線システムの概略構成を図２に示す。この配線システムでは、分電盤３０の本体３０ａ内に、リミッター３１、主幹ブレーカ３２、分岐ブレーカ３３などの商用交流電力系の内器と、電力変換部３４、バックアップ電源用のバッテリユニット３５、および後述する各種の通信ユニット３７（３７ａ、３７ｂ…），３８を配設している。また、本配線システムでは、建物の部屋Ｒ１，Ｒ２…内の適所に複数の差込接続部１を設けている。各差込接続部１の間は造営材（天井材や床材）の裏側に先行配線された電線４１，４２を介して送り配線されており、直流電圧の伝送路を構成する電線４１を介して分電盤３０内の通信ユニット３７（３７ａ，３７ｂ…）に電気的に接続されるとともに、交流電圧の伝送路を構成する電線４２を介して分岐ブレーカ３３に電気的に接続されている。
【００２５】
分電盤３０の本体３０ａ内に引き込まれた、例えば単相３線の商用交流電源の電力線は、リミッター３１を介して主幹ブレーカ３２に接続され、主幹ブレーカ３２の負荷側のＬ１、Ｌ２、Ｎの各極に対応した端子にはそれぞれ導電バー３６ａの一端が接続され、Ｎ極の導電バー３６ａと、Ｌ１又はＬ２の極の導電バー３６ａに各分岐ブレーカ３３のプラグイン式の電源側端子部（図示せず）が接続されて各分岐ブレーカ３３によって屋内電力線が分岐配線されるようになっている。なお分岐ブレーカ３３のプラグイン式の電源接続部は従来周知の構成を用いれば良いので、この構成の図示及び説明は省略する。また各導電バー３６ａは本体３０ａの正面方向から見て重なるように配設されているため、図２では一条に見えている。
【００２６】
電力変換部３４の電源入力端には導電バー３６ａが接続されて、商用交流電力が供給されるようになっており、電力変換部３４により商用交流電源を整流平滑して、所定電圧値の直流電圧に変換し、通信ユニット３７ａ，３７ｂ…などに直流電力を供給するようになっている。
【００２７】
電力変換部３４は、図において、右側部に設けた正、負の各極に対応した直流電力出力端子部（図示せず）に直流給電路用の導電バー３６ｂの一端を接続してある。ここで正、負の各極の直流給電路用導電バー３６ｂは正面方向から見て重なるように配設されているため、図２では一条に見えている。
【００２８】
この導電バー３６ｂの上下両側には各種の通信ユニット（３７ａ、３７ｂ…）を配設してある。各種の通信ユニット３７（３７ａ、３７ｂ…）は導電バー３６ｂ側の端部に設けた電源入力用のプラグイン接続部に導電バー３６ｂを挿入して、導電バー３６ｂに接離自在に接続するようになっている。尚、各通信ユニット３７のプラグイン接続部は、プラグイン式の分岐ブレーカ３３の電源接続部と同様の構成を有しているので、この構成の図示及び説明は省略する。
【００２９】
ここで、通信ユニット３７ａはインターネットＮＴに通信網を介して接続するモデム、ルータ、更にローカルネットワークＬＡＮに接続するためのハブ等のネットワーク通信機能部を備えたＷＡＮ用の通信ユニットである。また通信ユニット３７ｂは、汎用通信或いはＬＡＮ等のネットワークに対応した通信ユニットである。
【００３０】
一方、通信ユニット３７ｃには、電線４１を介して分電盤３０外に設けた種々の配線器具モジュール１０（例えばモジュラコンセント型の配線器具モジュール１０ｂやＴＶコンセント型の配線器具モジュール１０ｃなど）や、電子機器モジュール２０（例えばＬＥＤ照明器具のような照明型の電子機器モジュール２０ａや煙感知器のようなセンサ型の電子機器モジュール２０ｂやカメラ型の電子機器モジュール２０ｃなど）が接続してあり、導電バー３６ｂを通じて直流電力を取り込んで動作電源とするとともに、取り込んだ直流電力を配線器具モジュール１０および電子機器モジュール２０に電線４１を介して給電する。また通信ユニット３７ｃは、配線器具モジュール１０や電子機器モジュール２０との間で直流電圧に重畳して情報信号を伝送することで、情報信号の授受を行う機能を備えている。
【００３１】
この通信ユニット３７ｃの内部回路は、図３に示すように導電バー３６ｂを介して入力された直流電圧を所定電圧に変換して内部回路の動作電圧を得るＤＣ／ＤＣコンバータ５１と、電線４１及び導電バー３６ｂの直流電圧に重畳されて送られてくる搬送信号を受信するとともに、直流電圧に重畳させて搬送信号を送信する搬送通信部５２と、図示しない記憶手段に格納された制御プログラムを実行することにより、搬送信号によって送られてくる情報の処理と、搬送信号によって送信する情報の生成処理とを行う制御部５３とから構成される。
【００３２】
また通信ユニット３８には、導電バー３６ａと分岐ブレーカ３３と電線４２と差込接続部１とを介して、分電盤３０外に設けた種々の配線器具モジュール１０および電子機器モジュール２０が接続されており、通信ユニット３７ｃと同様、導電バー３６ａを通じて交流電力を取り込んで動作電源とするとともに、取り込んだ交流電力を配線器具モジュール１０および電子機器モジュール２０に電線４２を介して給電する。また通信ユニット３８は、配線器具モジュール１０や電子機器モジュール２０との間で交流電圧に重畳して情報信号を伝送することで、情報信号の授受を行う機能を備えている。さらに通信ユニット３８は、図示しない信号線を介して通信ユニット３７ｃとの間で情報信号の授受を行う機能を有しており、交流電力路に接続された各モジュール１０，２０と、直流電力路に接続された各モジュール１０，２０の間で情報信号の授受が行えるようになっている。
【００３３】
ここにおいて、本実施形態では本システムに用いられる配線器具モジュール１０や電子機器モジュール２０で使用される全ての情報信号を、電線４１，４２を介して供給される直流電圧および交流電源にそれぞれ重畳させて送受信するようにしており、例えば情報信号の種類に応じて重畳させる信号の周波数帯域を分けることによって複数種類の情報信号の送受信が行えるようになっている。尚、電線４１を介して供給される直流電圧に本システムで使用される全ての情報信号を重畳させて伝送するようにしても良いし、電線４２を介して供給される交流電圧に本システムで使用される全ての情報信号を重畳させて伝送するようにしても良い。
【００３４】
ところで、差込接続部１に接続される配線器具モジュール１０としては、商用電源のコンセントや商用電源の供給を入切するスイッチなどの強電系の配線器具モジュール（例えば電源コンセント型の配線器具モジュール１０ａ，１０ｄなど）と、例えば情報信号の授受に用いられる弱電系の配線器具モジュール（例えばモジュラコンセント型やＴＶコンセント型の配線器具モジュール１０ｂ，１０ｃなど）がある。また電子機器モジュール２０にも、商用電源の供給を受けて動作する強電系の電子機器モジュール（例えば照明器具のような電子機器モジュール２０ａなど）と、直流電源の供給を受けて動作する弱電系の電子機器モジュール（例えばセンサ型やカメラ型の電子機器モジュール２０ｂ，２０ｃなど）がある。
【００３５】
図４（ｂ）は弱電系の配線器具モジュール１０の概略的なブロック図を示し、後述する差込接続部１のコンタクト４，４に接続される端子片１５，１５を有し、端子片１５，１５を介して供給される直流電源を所望の電圧値の直流電源に変換するＤＣ／ＤＣコンバータ６２と、例えばＪＩＳなどで規格化された既存のコンセントプラグ（モジュラプラグや同軸プラグなど）が挿抜自在に接続されるコンセント部（プラグ接続部）６３と、差込接続部１を介して供給される直流電圧に重畳されて送信されてきた情報信号を分離してコンセント部６３に出力する信号分離部６４ａ、および、コンセント部６３から入力された情報信号を直流電源に重畳して差込接続部１に出力する信号重畳部６４ｂを有する搬送通信部６４とを備えている。ここで、搬送通信部６４は、配線器具モジュール１０の種類に応じて分離又は重畳する情報信号の種類が異なっており、対応する情報信号（例えば電話信号、テレビジョン信号、或いはＬＡＮなどの通信信号）の分離および重畳が行えるように構成されている。
【００３６】
また、図４（ａ）は強電系の配線器具モジュール１０ａ，１０ｄの概略的なブロック図を示しており、後述する差込接続部１のコンタクト３，３に接続される端子片１４，１４と、例えばＪＩＳなどで規格化された既存のコンセントプラグ（ＡＣ１００Ｖ用の平行栓刃を有するプラグなど）が挿抜自在に接続されるコンセント部６１（６１ａ，６１ｂ）とを備え、端子片１４，１４を介して供給された交流電源をコンセント部６１に接続されたコンセントプラグに供給している。
【００３７】
また更に、図５（ａ）は弱電系の電子機器モジュール２０の概略的なブロック図を示しており、差込接続部１のコンタクト４，４に接続される端子片１５，１５を有し、差込接続部１から端子片１５，１５を介して供給される直流電源を所望の電圧値の直流電源に変換して内部回路に供給するＤＣ／ＤＣコンバータ７１と、所望の機能を実現するための機能部７２と、差込接続部１を介して供給される直流電源に重畳されて送信されてきた情報信号を分離して後述の制御部７４に出力する信号分離部７３ａ、および、制御部７４から入力された情報信号を直流電源に重畳して差込接続部１に出力する信号重畳部７３ｂを有する搬送通信部７３と、機能部７２などの動作を制御する制御部７４とを備えている。機能部７２は電子機器モジュール２０が備える機能に対応して設けられ、例えば煙感知器型の電子機器モジュール２０ｂの場合には、図５（ｂ）に示すように煙センサ７２ａと、煙センサ７２ａの煙検知信号を増幅して制御部７４に出力する検知信号出力部７２ｂと、警報音を出力する警報音発生部７２ｃなどから機能部７２が構成される。また、ＬＥＤ照明型の電子機器モジュール２０ａの場合には、図５（ｃ）に示すようにＬＥＤ７２ｄと、ＬＥＤ７２ｄに点灯電力を供給する点灯回路部７２ｅとで機能部７２が構成される。
【００３８】
ここで、煙感知器型の電子機器モジュール２０ｂは、煙センサ７２ａが検出対象となる火災（煙）を検知し、検知信号出力部７２ｂから制御部７４に検知信号が出力されると、制御部７４が、搬送通信部７３を制御して信号重畳部７３ｂから対応する通信ユニット３７ｃに煙検知信号を発報する機能や、警報音発生部７２ｃから警報音を発生させる機能を備えており、通信ユニット３７ｃの制御部５３は、搬送通信部５２を介して煙検知信号を受け取ると、予め連系関係が設定されている通信ユニット３７ｃ、或いは通信ユニット３７ａ，３７ｂを連系動作させるための連系関係情報を生成し、当該連携関係情報を搬送通信部５２から通信ユニット３７ｃまたは通信ユニット３７ａ，３７ｂへ搬送信号により送信させる検出情報処理を行うようになっている。またＬＥＤ照明型の電子機器モジュール２０では、対応する通信ユニット３７ｃから送信された点灯信号を搬送通信部７３が受信すると、制御部７４が点灯回路部７２ｅを制御してＬＥＤ７２ｄを点灯させるとともに、対応する通信ユニット３７ｃから送信された消灯信号を搬送通信部７３が受信すると、制御部７４が点灯回路部７２ｅを制御してＬＥＤ７２ｄを消灯させるようになっている。
【００３９】
また、図６（ａ）は強電系の電子機器モジュール２０の概略的なブロック図を示しており、差込接続部１のコンタクト３，３に接続される端子片１４，１４を有し、差込接続部１から端子片１４，１４を介して供給される交流電源より内部の動作電源を得る電源部７５と、所望の機能を実現するための機能部７６と、差込接続部１を介して供給される交流電源に重畳されて送信されてきた情報信号を分離して後述の制御部７８に出力する信号分離部７７ａ、および、制御部７８から入力された情報信号を交流電源に重畳して差込接続部１に出力する信号重畳部７７ｂを有する搬送通信部７７と、機能部７２などの動作を制御する制御部７８とを備えている。機能部７６は、弱電系の電子機器モジュールの場合と同様に、電子機器モジュール２０が備える機能に対応して設けられ、例えば交流電源により動作する照明器具の場合には、図６（ｂ）に示すように白熱灯或いは蛍光灯からなるランプ７６ａと、ランプ７６ａに点灯電力を供給する点灯回路部７６ｂとで機能部７６が構成されている。
【００４０】
次に、差込接続部１と配線器具モジュール１０或いは電子機器モジュール２０との接続構造について説明を行う。尚、以下の説明では特に断りが無い限り、図８および図１１に示す取付状態において上下左右の方向を規定して説明を行う。
【００４１】
差込接続部１は、図１に示すように部屋Ｒ（Ｒ１，Ｒ２…）内の造営材（例えば天井材１０１、床材１０２および壁材）に略一定の間隔で網目状に複数配設されている。図７（ａ）は差込接続部１の断面図、図７（ｂ）は差込接続部１の平面図であり、差込接続部１は、配線器具モジュール１０或いは電子機器モジュール２０の突起部１３，２３が挿抜自在に差込接続される接続用孔２ａが前面に開口した本体ケース２を備えている。接続用孔２ａは、奥側の小径部２ｂに比べて開口端側の径が大径に形成されており、小径部２ｂには交流電力の伝送路となる電線４１に電気的に接続された一対のコンタクト３，３が小径部２ｂの中心軸を挟んで対角の位置に配列されている。また大径部２ｃには、直流電力の伝送路となる電線４２に電気的に接続される一対のコンタクト４，４が、コンタクト３，３の配列方向と略直交する方向に並び、且つ、大径部２ｃの中心軸を挟んで対角の位置に配列されている。すなわち交流系のコンタクト３，３に対して、直流系のコンタクト４，４の方が接続用孔２ａの開口部により近い側に配設されている。ここにおいてコンタクト３，３およびコンタクト４，４からジャック側端子が構成される。交流電圧に接続されるコンタクト３，３は奥側の小径部２ｂに配置され、直流電圧に接続されるコンタクト４，４は手前側の大径部２ｃに配置されており、小径部２ｂと大径部２ｃの間には段差が設けられているので、絶縁距離を確保することができる。なお差込接続部１には、接続用孔２ａ内に差込接続された突起部１３，２３を弾性的に引掛係止する係止手段（図示せず）などを設けてあり、天井材１０１に配設した差込接続部１に接続された配線器具モジュール１０或いは電子機器モジュール２０がその自重によって落下することがないようになっている。
【００４２】
また本体ケース２の底部には、電線４１および電線４２が接続される速結端子構造の接続端子（図示せず）が配設されており、この接続端子と上記のコンタクト３，４の間を電気的に接続する導電部材が本体ケース２の内部に収納されている。ここにおいて本実施形態ではコンタクト３，３に接続される伝送路を交流電力の伝送路、コンタクト４，４に接続される伝送路を直流電力の伝送路とし、直流電圧および交流電圧にそれぞれ各種の情報信号を重畳させて搬送通信を行っているが、コンタクト３，３およびコンタクト４，４を介して授受される電源あるいは情報信号を上記の電源あるいは情報信号に限定する趣旨のものではなく、使用する配線器具モジュール１０および電子機器モジュール２０で必要とする電源および情報信号を差込接続部１に供給すれば良い。また電線４１，４２への電源あるいは情報信号の割り振りも特に限定されるものではなく、使用される電源或いは情報信号のうちの一部を電線４１を介して供給し、残部を電線４２を介して供給するようにしても良い。
【００４３】
次に配線器具モジュール１０について図８（ａ）および図９に基づいて説明する。尚、配線器具モジュール１０は電源或いは情報信号の種別に応じて複数種類存在するが、コンセント部６１，６３の形状が異なる以外は同様の構成を有しているので、ＡＣ１００Ｖ用のコンセントを構成する配線器具モジュール１０ａについて説明し、他の種類の配線器具モジュールについては説明を省略する。
【００４４】
配線器具モジュール１０ａは、円柱を平行する２つの平面で切断したような形状に形成された器体１１を備えており、器体１１の前面側の平面部には規格化された電源プラグの栓刃が挿抜自在に挿入される栓刃挿入口１２ａを有するコンセント部６１ａが設けられている。また器体１１の下面には棒状の突起部１３が突設されており、突起部１３の先端部（下端部）には突起部１３の上側部位（大径部１３ｂ）に比べて前後方向および左右方向の幅寸法が小さい寸法に形成された細径部１３ａが一体に設けられている。突起部１３の細径部１３ａおよび大径部１３ｂは、それぞれ、円柱を平行する２つの平面で切断したような形状に形成されており、細径部１３ａの前後両側面には、差込接続部１の一対のコンタクト３，３にそれぞれ電気的に接続される端子片１４，１４が配設され、大径部１３ｂの下端部の左右両側部には、差込接続部１の一対のコンタクト４，４にそれぞれ電気的に接続される端子片１５，１５が配設されている。ここにおいて端子片１４，１４および端子片１５，１５により、ジャック側端子を構成するコンタクト３，３又はコンタクト４，４にそれぞれ電気的に接続されるプラグ側端子が構成される。またコンセント部６１ａには、プラグ側端子に電気的に接続されるとともにコンセント部６１ａに接続された差込プラグの電極に電気的に接続される接触子（図示せず）が設けられている。尚、ＡＣ１００Ｖ用の配線器具モジュール１０ａの場合、直流系のコンタクト４，４に接続される端子片１５，１５が不要であれば、コンタクト３，３に接続される端子片１４，１４のみを設けるようにしても良い。
【００４５】
また、図９に示すＡＣ１００Ｖ用の配線器具モジュール１０ａでは、矩形孔状の一対の栓刃挿入口１２ａを有するコンセント部６１ａを備えているが、コンセント部６１ａの形状は対応する電源や使用用途などの種別に応じて適宜変更すれば良い。例えば図１０（ａ）（ｂ）は抜止タイプのＡＣ１００Ｖ用コンセントからなる配線器具モジュール１０ｄを示し、この配線器具モジュール１０ｄの器体１１は略円柱状に形成されており、器体１１の一端面（天井取付の場合の下面）に円弧状に開口する一対の栓刃挿入口１２ｂを有するコンセント部６１ｂを設けてある。
【００４６】
また弱電系の配線器具モジュール１０の場合も情報信号の種別に応じたコンセント部６３を設ければ良く、図８（ａ）に示すように、モジュラコンセントのような配線器具モジュール１０ｂの場合には、モジュラプラグが挿抜自在に接続されるプラグ接続口を有するコンセント部６３ａを設ければ良いし、ＴＶコンセントのような配線器具モジュール１０ｃの場合には、同軸コネクタが挿抜自在に接続されるＦ型接栓を有するコンセント部６３ｂを設ければ良い。また、弱電系の配線器具モジュール１０の場合も、コンタクト３，３に接続される端子片１４，１４と、コンタクト４，４に接続される端子片１５，１５の両方を共に備える必要はなく、情報信号を直流電圧に重畳して搬送通信する場合はコンタクト４，４に接続される端子片１５，１５のみを備えていれば良い。なお、情報信号を交流電圧に重畳して搬送通信する場合はコンタクト３，３に接続される端子片１４，１４のみを備えていれば良い。
【００４７】
次に電子機器モジュール２０について図１１〜図１４に基づいて説明する。尚、電子機器モジュール２０もその機能や用途などに応じて複数種類存在するが、差込接続部１に接続するための接続構造は同様であるので、先ず煙感知器型の電子機器モジュール２０ｂについて図１２（ａ）〜（ｃ）を参照して説明する。
【００４８】
煙感知器型の電子機器モジュール２０ｂは略円盤状に形成された器体２１を備え、器体２１の内部には、外部からの煙の進入を許容するとともに外光の入射を防止するラビリンス壁によって周囲を囲まれた煙感知室（図示せず）が設けられている。器体２１の周面には円周方向に沿って延びる複数の開口孔２２が形成され、開口孔２２の奥には防虫網２２ａが配設されており、さらにその奥にラビリンス壁が設けられている。また、器体２１上面の中央部には棒状の突起部２３が突設されており、突起部２３の先端部（図１２（ａ）中の上端部）には突起部２３の下側部位（大径部２３ｂ）に比べて前後方向および左右方向の幅寸法が小さい寸法に形成された細径部２３ａが一体に設けられている。突起部２３の細径部２３ａおよび大径部２３ｂは、それぞれ、円柱を平行する２つの平面で切断したような形状に形成されており（図１２（ｂ）参照）、細径部２３ａの前後両側面には、差込接続部１の一対のコンタクト３，３にそれぞれ電気的に接続される端子片２４，２４が配設され、大径部２３ｂの下端部の左右両側部には、差込接続部１の一対のコンタクト４，４にそれぞれ電気的に接続される端子片２５，２５が配設されている。
【００４９】
電子機器モジュール２０の場合も、その機能や用途などに応じて複数種類存在し、図１３に示すようなカメラ機能を有する電子機器モジュール２０ｃの場合には、器体２１の下面に透光カバー２６ａを配置し、この透光カバー２６ａに臨ませてＣＣＤカメラのような撮像素子を器体２１内部に収納すればよい。また図１４に示すようなワイヤレス受信部としての機能を有する電子機器モジュール２０ｄの場合には、器体２１の下面に電波や光を媒体とするワイヤレス信号に対して透光性を有するカバー２６ｂを配置し、このカバー２６ｂに臨ませて、ワイヤレス通信部が備える受光素子又は発光素子を配設すれば良い。また電子機器モジュール２０として直流電源で動作するＬＥＤ照明タイプの電子機器モジュール２０ａもあり、この電子機器モジュール２０ａでは、図１１（ａ）に示すように天井材１０１の下面に上面が当接する円板状のフランジ２７の上面に上記の突起部２３が突設されている。また、フランジ２７の下面には連結棒２７ａを介して横長の直方体状の器体２１ａが吊下げ支持されており、器体２１ａの内部には上述の回路ブロックを構成する電子部品（ＬＥＤ７２ｄを含む）が実装された回路基板が配置され、器体２１ａの下側部にはＬＥＤ７２ｄを覆う透光カバー２１ｂが取着されている。なお、これらの電子機器モジュール２０ａ〜２０ｄでは、コンタクト３，３を介して供給される直流電源を動作電源とし、直流電圧に情報信号を重畳させることで搬送通信を行っているので、交流電源に接続する必要はなく、端子片２４，２４を無くして、コンタクト４，４に接続される端子片２５，２５のみを設ければ良い。なお情報信号を交流電圧に重畳して搬送通信する場合はコンタクト３，３に接続される端子片２４，２４を設けるようにしても良く、また動作電源を交流電源から得る場合にはコンタクト３，３に接続される端子片２４，２４のみとしても良い。
【００５０】
また電子機器モジュール２０としては、交流電源の供給を受けて点灯する照明器具形の電子機器モジュール２０ｅもあり、この電子機器モジュール２０ｅは、図１１（ａ）に示すように天井材１０１の下面に上面が当接する円板状のフランジ２７の上面に上記の突起部２３が突設されている。またフランジ２７の下面には、白熱灯のような光源（図示せず）や点灯回路などを保持した円筒状の器体２１ｃが連結棒２７ａを介して吊下げ支持されている。なお、交流電源の供給を受けて動作する電子機器モジュール２０の場合、交流電圧に重畳して情報信号を搬送通信すれば、コンタクト４，４に接続される端子片２５，２５は不要であり、コンタクト３，３に接続される端子片２４，２４のみを設けるようにしても良い。
【００５１】
本発明に係る配線システムは以上のように構成されており、造営面に設けた複数の差込接続部１を定形化するとともに、差込接続部１に差込接続される配線器具モジュール１０或いは電子機器モジュール２０の差込部（突起部１３，２３）を定形化し、配線器具モジュール１０或いは電子機器モジュール２０を複数の差込接続部１のうちの何れにも選択的に差込接続可能としている。
【００５２】
そして、各差込接続部１には、本システムで使用される全ての電源および情報信号の伝送路を構成する電線４１，４２に電気的に接続された各一対のコンタクト３，４を配設してあり、突起部１３，２３を何れかの差込接続部１の接続用孔２ａに挿入すると、突起部１３，２３にそれぞれ設けた端子片１４，１５又は端子片２４，２５が、差込接続部１のコンタクト３，３又はコンタクト４，４に電気的に接続されるので、何れの差込接続部１に配線器具モジュール１０或いは電子機器モジュール２０を差込接続した場合でも、接続された配線器具モジュール１０或いは電子機器モジュール２０は必要な電源あるいは情報信号を得ることができる。したがって、所望の場所に設置された差込接続部１に配線器具モジュール１０或いは電子機器モジュール２０を差込接続して使用することができ、ユーザ自身が配線器具モジュール１０又は電子機器モジュール２０を自由な位置に取り付けて使用することができるという効果がある。
【００５３】
ここで、配線器具モジュール１０又は電子機器モジュール２０では、器体１１，２１の大きさに比べて、器体１１，２１に突設された棒状の突起部１３，２３の大きさを小さくしているので、突起部１３，２３が挿入される接続用孔２ａの大きさを小さくでき、造営材（例えば天井材１０１や床材１０２など）に開口する接続用孔２ａを部屋内で目立たないように設けることができる。また配線器具モジュール１０又は電子機器モジュール２０が接続されない差込接続部１にはキャップ（図示せず）を取り付けて、接続用孔２ａを塞ぐのであるが、接続用孔２ａの大きさを小さくすることで、接続用孔２ａを塞ぐキャップの大きさを小さくして、キャップを目立ちにくくできるという利点もある。
【００５４】
さらに、造営材に設けた複数の差込接続部１は、複数の接続用孔２ａが網目状に配列されるように設けているので、必要な場所にできるだけ近い接続用孔２ａに配線器具モジュール１０或いは電子機器モジュール２０を接続することができ、例えば配線器具モジュール１０のプラグ接続口にプラグが接続されるケーブルの配線長を短くすることができる。
【００５５】
（実施形態２）
本発明の実施形態２を図面に基づいて説明する。上述の実施形態１では、配線器具モジュール１０および電子機器モジュール２０の種類の違いに関わらず、プラグ側端子を構成する端子片１４，１４および端子片１５，１５の端子形状および端子配列を定形化すると共に、差込接続部１のジャック側端子を構成するコンタクト３，３およびコンタクト４，４の端子形状および端子配列を定形化しているが、配線器具モジュール１０および電子機器モジュール２０の種類毎にプラグ側端子の端子形状および端子配列を定形化すると共に、差込接続部１では、対応する配線器具モジュール１０または電子機器モジュール２０の種類に合わせて、ジャック側端子の端子形状および端子配列を定形化しても良い。
【００５６】
例えば図１６（ａ）に示すように、モジュラジャック形の配線器具モジュール１０ｂにおいて、突起部１３の下端部にモジュラプラグ４３ａを形成するとともに、差込接続部１の内部にモジュラプラグ４３ａが接続されるモジュラジャック４３ｂを配置するようにしても良い。この場合は配線器具モジュール１０ｂを介して送受信される情報信号のみを伝送する専用の通信線４１ｂをモジュラプラグ４３ａに接続すれば良く、この差込接続部１には他の用途の配線器具モジュール１０や電子機器モジュール２０を接続することができないようになっている。
【００５７】
また本実施形態では、プラグ側端子を構成するモジュラプラグ４３ａを突起部１３の先端面に設けており、他の種類の配線器具モジュール１０や電子機器モジュール２０においても、突起部１３，２３の先端面にプラグ側端子を設けておけば、差込接続部１との間で突起部１３，２３の先端面で電気的接続を行うこができる。
【００５８】
また、図１６（ｂ）に示すように配線器具モジュール１０が備える突起部１３において、差込接続部１のコンタクト３に接続される端子片１４ａと、コンタクト４に接続される端子片１５ａの挿入方向における高さ位置を異ならせ、各一対の端子片１４ａ，１５ａを円周方向において全周に亘って形成するようにしても良い。同様に電子機器モジュール２０が備える突起部２３において、差込接続部１のコンタクト３に接続される端子片２４と、コンタクト４に接続される端子片２５の挿入方向における高さ位置を異ならせ、各一対の端子片２４，２５を円周方向において全周に亘って形成するようにしても良い。この場合は種類の違いに関係無く、対応するジャック側端子を同じ高さ位置に設けることができる。例えば差込接続部１側に電源用、電話用、ＬＡＮ用、ＴＶ用のコンタクトを異なる高さ位置に設けておけば、配線器具モジュール１０または電子機器モジュール２０において、所定のコンタクトに接触する端子片のみを、所定のコンタクトに対応する高さ位置に設けることで、必要な電源あるいは情報信号のみを得ることができる。
【図面の簡単な説明】
【００５９】
【図１】実施形態１の配線システムの施工例を示す説明図である。
【図２】同上の配線システムの概略構成図である。
【図３】同上に用いる通信ユニットの概略的なブロック図である。
【図４】（ａ）（ｂ）は同上に用いる配線器具モジュールの概略的なブロック図である。
【図５】（ａ）〜（ｃ）は同上に用いる電子機器モジュールの概略的なブロック図である。
【図６】（ａ）（ｂ）は同上に用いる他の電子機器モジュールの概略的なブロック図である。
【図７】同上に用いる差込接続部を示し、（ａ）は側断面図、（ｂ）は平面図である。
【図８】（ａ）（ｂ）は同上に用いる配線器具モジュールを差込接続部に接続する前の状態を示した説明図である。
【図９】同上に用いる配線器具モジュールを示し、（ａ）は正面図、（ｂ）は右側面図、（ｃ）は上面図、（ｄ）は一部破断せず下面図である。
【図１０】同上に用いる他の配線器具モジュールを示し、（ａ）は正面図、（ｂ）は下面図である。
【図１１】（ａ）（ｂ）は同上に用いる電子機器モジュールを差込接続部に接続する前の状態を示した説明図である。
【図１２】同上に用いる電子機器モジュールを示し、（ａ）は正面図、（ｂ）は上面図、（ｃ）は下面図である。
【図１３】同上に用いる他の電子機器モジュールを示し、（ａ）は正面図、（ｂ）は上面図、（ｃ）は下面図である。
【図１４】同上に用いるまた別の電子機器モジュールを示し、（ａ）は正面図、（ｂ）は上面図、（ｃ）は下面図である。
【図１５】同上に用いる配線器具モジュールおよび電子機器モジュールの外観斜視図である。
【図１６】（ａ）は実施形態２の配線システムに用いる配線器具モジュールおよび差込接続部の説明図、（ｂ）は配線器具モジュールの要部拡大図である。
【符号の説明】
【００６０】
１  差込接続部
２ａ  接続用孔
３，４  コンタクト（ジャック側端子）
１０ａ，１０ｂ，１０ｄ  配線器具モジュール
１３  突起部（差込部）
１４，１５  端子片（プラグ側端子）
２０ｂ，２０ｃ，２０ｅ  電子機器モジュール
２３  突起部（差込部）
２４，２５  端子片（プラグ側端子）
１０１  天井材
１０２  床材
１０３  壁材
【図１】
2008251505.tif 000003
【図２】
2008251505.tif 000004
【図３】
2008251505.tif 000005
【図４】
2008251505.tif 000006
【図５】
2008251505.tif 000007
【図６】
2008251505.tif 000008
【図７】
2008251505.tif 000009
【図８】
2008251505.tif 000010
【図９】
2008251505.tif 000011
【図１０】
2008251505.tif 000012
【図１１】
2008251505.tif 000013
【図１２】
2008251505.tif 000014
【図１３】
2008251505.tif 000015
【図１４】
2008251505.tif 000016
【図１５】
2008251505.tif 000017
【図１６】
2008251505.tif 000018